(57)【特許請求の範囲】
【請求項１】
ファンと、
外部電源から電力を供給する電源線が接続されて前記ファンを回転させる電動機部と、
前記電動機部に２箇所で連結されて、その連結部分を通る第１の回転軸を中心に前記電動機部を回転可能に支持する枠体と、
前記枠体に２箇所で連結されて、その連結部分を通る第２の回転軸を中心に前記枠体を回転可能に支持する支持部と、を備え、
前記第１の回転軸は、前記ファンの回転軸に垂直であり、
前記第２の回転軸は、前記第１の回転軸と直交し、
前記支持部の内部には、前記枠体と前記支持部との２箇所の連結部の近傍まで前記電源線を通す第１の配線路が形成され、
前記支持部には、前記枠体と前記支持部との２箇所の連結部分に、前記第１の配線路から前記電源線を導出させる第１導出口が形成され、
前記枠体の内部には、前記第１導出口から導出された前記電源線を前記枠体と前記電動機部との２箇所の連結部の近傍まで通す第２の配線路が形成され、
前記枠体には、前記枠体と前記支持部との２箇所の連結部分に、前記第１導出口から導出された前記電源線を前記第２の配線路に導入させる第１導入口が形成され、
前記枠体には、前記枠体と前記電動機部との２箇所の連結部分に、前記第１導入口から導入された前記電源線を導出させる第２導出口が形成され、
前記電動機部には、前記枠体と前記電動機部との２箇所の連結部分に、前記第２導出口から導出された前記電源線を前記電動機部の内部に導入させる第２導入口が形成されていることを特徴とする天井旋回扇風機。
【請求項２】
ファンと、
外部電源から電力を供給する電源線が接続されて前記ファンを回転させる電動機部と、
前記電動機部に２箇所で連結されて、その連結部分を通る第１の回転軸を中心に前記電動機部を回転可能に支持する枠体と、
前記枠体に２箇所で連結されて、その連結部分を通る第２の回転軸を中心に前記枠体を回転可能に支持する支持部と、を備え、
前記第１の回転軸は、前記ファンの回転軸に垂直であり、
前記第２の回転軸は、前記第１の回転軸と直交し、
前記支持部の内部には、前記枠体と前記支持部との２箇所の連結部の近傍まで前記電源線を通す第１の配線路が形成され、
前記支持部には、前記枠体と前記支持部との２箇所の連結部分の近傍に、前記第１の配線路から前記電源線を導出させる第１導出口が形成され、
前記枠体の内部には、前記第１導出口から導出された前記電源線を前記枠体と前記電動機部との２箇所の連結部の近傍まで通す第２の配線路が形成され、
前記枠体には、前記枠体と前記支持部との２箇所の連結部分の近傍に、前記第１導出口から導出された前記電源線を前記第２の配線路に導入させる第１導入口が形成され、
前記枠体には、前記枠体と前記電動機部との２箇所の連結部分の近傍に、前記第１導入口から導入された前記電源線を導出させる第２導出口が形成され、
前記電動機部には、前記枠体と前記電動機部との２箇所の連結部分の近傍に、前記第２導出口から導出された前記電源線を前記電動機部の内部に導入させる第２導入口が形成されていることを特徴とする天井旋回扇風機。
【発明の詳細な説明】
【技術分野】
【０００１】
本発明は、天井旋回扇風機に関し、特に天井旋回扇風機の配線構造に関するものである。
【背景技術】
【０００２】
天井旋回扇風機は、ファンを有する電動機部を回動自在に支持する枠体を有する。枠体が回動自在に本体に連結され、電動機部が旋回運動可能な構造となっている。天井旋回扇風機は、このような構造により、ファン部分を旋回させながら送風することで、より広範囲に風を送ることができる特徴がある。
【０００３】
天井旋回扇風機には、電動機部に電源を供給するための電源線が設けられる。電源線は、旋回運動している電動機部に接続されるため、旋回運動によって屈曲動作を受けることになる。また、電源線の電動機への接続は、本体から一旦器外へ露出させ、そのまま枠体などに沿わせて配線し、器外配線として電動機へ接続されるようになっている。
【先行技術文献】
【特許文献】
【０００４】
【特許文献１】特開昭６１−１６４４３９号公報
【発明の概要】
【発明が解決しようとする課題】
【０００５】
しかしながら、上記従来の構造では、器外部分の電源線は空中に存在し、構造物などで経路が導かれていないため、製品個々により経路上の電源線の状態が異なる。また、旋回動作中も同じく製品個々により電源線の挙動が異なるものとなる。
【０００６】
そのため、旋回運動により受ける電源線の屈曲量を定量的に把握することが困難であり、かつ、個々の製品で異なる屈曲量となる場合もあるため、電源線の耐久性を確認するには膨大な数の試料と時間を費やし試験確認をする必要があるという問題があった。
【０００７】
また、電源線が器外に露出することで、その電源線は電気用品安全法の技術基準上の「内部配線」に該当せず、「電源電線等」に該当するため、より厳しい基準に基づいて材料の選定などを行う必要がある。そのため、電源線にかかるコストを抑制することが難しいという問題があった。
【０００８】
本発明は、上記に鑑みてなされたものであって、電源線の屈曲量を定量的に把握しやすくするともに、電源線を技術基準上の「内部配線」とすることで、コストの抑制を図ることのできる天井旋回扇風機を得ることを目的とする。
【課題を解決するための手段】
【０００９】
上述した課題を解決し、目的を達成するために、本発明は、ファンと、外部電源から電力を供給する電源線が接続されてファンを回転させる電動機部と、電動機部に連結されて、その連結部分でファンの回転軸に垂直な第１の回転軸を中心に電動機部を回転可能に支持する枠体と、枠体に連結されて、その連結部分で第１の回転軸と直交する第２の回転軸を中心に枠体を回転可能に支持する支持部と、を備え、支持部の内部には、枠体と支持部との連結部の近傍まで電源線を通す第１の配線路が形成され、支持部には、第１の配線路から電源線を導出させる導出口が形成され、枠体の内部には、導出口から導出された電源線を枠体と電動機部との連結部の近傍まで通す第２の配線路が形成され、枠体には、導出口から導出された電源線を第２の配線路に導入させる導入口が形成されていることを特徴とする。
【発明の効果】
【００１０】
本発明によれば、電源線が受ける屈曲は、支持部と枠体との連結部と、枠体と電動機部との連結部の２箇所に特定できるため、電源線の屈曲量は定量的に把握しやすくなる。これにより、机上での電源線の耐久性確認が容易にできるようになり、製品開発期間の短縮、および安定した品質の確保が図れるという効果を奏する。また、器外にほとんど露出させずに電源線を配線できるため、内部配線となり、他の内部電線と同じ電線を用いて電源供給を行うことができるため、製造コストを抑えることができるという効果を奏する。
【図面の簡単な説明】
【００１１】
【図１】図１は、本発明の実施の形態１にかかる天井旋回扇風機の全体構成を示す正面図である。
【図２】図２は、図１に示す天井旋回扇風機の全体構成を示す側面図である。
【図３】図３は、枠体の全体構成を示す外観斜視図である。
【図４】図４は、枠体の分解斜視図である。
【図５】図５は、枠体の部分断面図である。
【図６】図６は、枠体と本体との連結部部分を拡大した部分拡大断面図である。
【図７】図７は、枠体と電動機部との連結部部分を拡大した部分拡大断面図である。
【図８】図８は、本発明の実施の形態２にかかる天井旋回扇風機の正面図である。
【図９】図９は、図８に示す天井旋回扇風機の側面図である。
【図１０】図１０は、枠体の全体構成を示す外観斜視図である。
【図１１】図１１は、枠体の分解斜視図である。
【発明を実施するための形態】
【００１２】
以下に、本発明の実施の形態にかかる天井旋回扇風機を図面に基づいて詳細に説明する。なお、この実施の形態によりこの発明が限定されるものではない。
【００１３】
実施の形態１．
図１は、本発明の実施の形態１にかかる天井旋回扇風機の全体構成を示す正面図である。図２は、図１に示す天井旋回扇風機の全体構成を示す側面図である。なお、図１および図２では、一部の構成を断面図として示している。
【００１４】
電動機部５は、電動機８、モーターカバー１８、電動機保持板７を有して構成される。電動機部５は、電動機８でファン１３を回転駆動させる。電動機部５には、ファン１３を覆う保護ガード１４が取り付けられている。ファン１３は、回転することで空気を流動させて送風を可能とする。ファン１３は、ファンの回転軸２０を中心に回転する。
【００１５】
電動機保持板７は、電動機８を保持する。電動機保持板７には、図２に示すように電動機８を挟んで対称となる２箇所に電動機保持軸６がカシメ固定されている。モーターカバー１８は、電動機８および電動機保持板７を内部に収容する筐体であって、電動機８を保護する。電動機保持軸６は、枠体２の２箇所の軸受け孔２ａに回転可能に連結されている。この構成により、電動機部５は、枠体２に対して第１の回転軸２１を中心に回転可能とされる。また、第１の回転軸２１は、ファンの回転軸２０と直交する。また、第１の回転軸２１は、軸受け孔２ａを通過する。
【００１６】
本体１の支持部１ａの内部には、図１に示すように、枠体２を挟んで対称となる２箇所に支持体４が設けられている。支持部１ａの内部は空洞になっており、この空洞が電源線１５を通過させる第１の配線路３１として機能する。支持体４の先端には支持軸３がカシメ固定されており、支持軸３に、枠体２の２箇所の軸受け孔２ｅが回転可能に連結されている。この構成により、枠体２は、支持部１ａに対して第２の回転軸２２を中心に回転可能とされる。また、第２の回転軸２２は、軸受け孔２ｅ、貫通孔１ｂ，４ａを通過する。また、第１の回転軸２１と、第２の回転軸２２は、同一平面上で互いの軸線の中心で直交するように構成されている。
【００１７】
電動機部５の上部には、電動機８の中心線上に駆動軸９が設けられている。駆動軸９にはアーム１２が回動自在に連結されている。アーム１２のうち、駆動軸９に連結された一端側の反対側は、本体１に固定されたギアモーター１１の出力軸１１ａに固定されている。
【００１８】
このように電動機部５は、天井に固定された本体１に対し、お互いが直交する２軸に対しそれぞれ回動自在に連結されているので、ギアモーター１１が回転駆動するとアーム１２を介し旋回運動する構造となっている。
【００１９】
図３は、枠体２の全体構成を示す外観斜視図である。図４は、枠体２の分解斜視図である。図５は、枠体２の部分断面図である。図４に示すように、枠体２はＵ字断面を持つ金属製のＵ字板２ｂと、樹脂で成型されたカバー２ｃから構成されており、内部に空洞を持つ構造となっている。この空洞が、電源線を通過させる第２の配線路３２となる。
【００２０】
Ｕ字板２ｂとカバー２ｃは、図４，５に示すように、Ｕ字板２ｂのネジ穴２ｄとカバー２ｃのネジボス２ｆでネジにより連結されている。さらにＵ字板２ｂには、各辺の中央に、軸受け孔２ａ、２ｅが設けられている。
【００２１】
２つの軸受け孔２ｅのうち、一方の軸受け孔２ｅは、第２の配線路３２に電源線１５を導入させる導入口として機能する。軸受け孔２ａおよび２ｅの中心軸線、すなわち第１の回転軸２１と第２の回転軸２２とは、同一平面上に位置する。
【００２２】
図６は、枠体２と本体１との連結部部分を拡大した部分拡大断面図である。支持軸３は中空となっており、一端をカシメにより支持体４に固定されている。支持軸３をカシメるために、支持体４には貫通孔４ａが形成されている。また、支持部１ａには、支持体４の貫通孔４ａと重なるように貫通孔１ｂが形成されている。貫通孔１ｂは、支持部１ａの内部、すなわち第１の配線路３１を通る電源線１５を外部に導出させるための導出口となる。
【００２３】
支持軸３の他端は、枠体２の軸受け孔２ｅに貫通し、止めリング１６にて抜け止めされているため、枠体２は支持体４に対し回転可能となっている。支持体４は、図１に示すように、上部で本体１にネジ固定される。本体１は、建物の天井などの支持構造に取り付けられた固定板１７にネジ固定されている。
【００２４】
図７は、枠体２と電動機部５との連結部部分を拡大した部分拡大断面図である。電動機保持軸６は中空に形成される。電動機保持軸６は、一端が電動機部５に一体の電動機保持板７にカシメ固定され、他端が枠体２の軸受け孔２ａに貫通されて、止めリング１６にて抜け止めされているため、電動機部５は枠体２に対し回転可能となっている。
【００２５】
以上のような構成から、天井旋回扇風機５０は、電動機８を旋回可能に保持し、電動機の旋回に合わせてファン１３による送風方向を変化させることで、より広範囲に送風を行うことができるようになっている。
【００２６】
次に、電源線１５の配線ルートについて説明する。図１および図２に示すように、電源線１５は、本体１の外部で屋内配線と接続される。電源線１５は、固定板１７側から電動機８に向けて延びて電動機８に接続されることで、外部電源から電動機８に電力を供給する。
【００２７】
電源線１５は、固定板１７側から電動機８に至る過程で、まず、本体１の支持部１ａの内部に形成された第１の配線路３１を通る。そして、図６に示すように、貫通孔４ａ、貫通孔１ｂ、軸受け孔２ｅ、支持軸３を通って、枠体２に形成された第２の配線路３２に導入される。
【００２８】
そして、第２の配線路３２を通って、軸受け孔２ａに至る。軸受け孔２ａに至った電源線１５は、図７に示すように、電動機保持軸６、軸受け孔２ａを通って電動機部５内の電動機８に接続される（図４に示す矢印Ｘも参照）。
【００２９】
このように、実施の形態１にかかる天井旋回扇風機５０は、支持部１ａの内部に形成された第１の配線路３１と、枠体２の内部に形成された第２の配線路３２、支持部１ａと枠体２の連結部分、および枠体２と電動機部５の連結部分を通して電源線１５が配線されるので、電動機８に接続される過程で、電源線１５がほとんど外部に露出しない。
【００３０】
そのため、電源線１５が外部から損傷を受けるなどの影響が少なくなり、電気用品安全法の技術基準上の「内部配線」とすることができる。そのため、他の内部配線と同じリード線を使用することができるため、製造コストの抑制を図ることができる。
【００３１】
また、電動機部５の旋回動作により電源線１５が受ける屈曲は、支持軸３と、電動機保持軸６の貫通部の２箇所に特定でき、かつ、それぞれの回動量はアーム１２の長さにより特定できるため、電源線１５が受ける屈曲量を定量的に把握しやすくなる。
【００３２】
そのため、机上での耐久性確認の確実性を向上させることができる。これにより、電源線１５の挙動の特定が困難なために数多くの実機試験を行っていた従来に対し、より短期間で、コストを掛けずに製品開発を行うことが可能となる。
【００３３】
実施の形態２．
図８は、本発明の実施の形態２にかかる天井旋回扇風機の正面図である。図９は、図８に示す天井旋回扇風機の側面図である。図１０は、枠体の全体構成を示す外観斜視図である。図１１は、枠体の分解斜視図である。なお、上記実施の形態１と同様の構成については、同様の符号を付して詳細な説明を省略する。
【００３４】
本実施の形態２では、上記実施の形態１と同様に、第１の配線路３１と第２の配線路３２に電源線１５を通過させる。しかしながら、支持部１ａと枠体２との連結部分や枠体２と電動機部５との連結部分に電源線１５を通過さずに、これら連結部分の近傍では一旦外部を通して配線する。
【００３５】
そのため、図８、図１０および図１１に示すように、支持部１ａと支持体４には、枠体２と支持部１ａとの連結部の近傍に、第１の配線路３１を通る電源線１５を外部に導出するための貫通孔１ｃ，４ｂが形成されている。すなわち、貫通孔１ｃ，４ｂは、第１の配線路３１を通る電源線１５を外部に導出させる導出口として機能する。
【００３６】
また、枠体２には、枠体２と支持部１ａとの連結部の近傍に、貫通孔１ｃ，４ｂから外部に導出された電源線１５を第２の配線路３２に導入するための貫通孔２ｇが形成されている。すなわち、貫通孔２ｇは、貫通孔１ｃ，４ｂから外部に導出された電源線１５を第２の配線路３２に導入させる導入口として機能する。
【００３７】
また、図９、図１０および図１１に示すように、枠体２には、枠体２と電動機部５との連結部の近傍に、第２の配線路３２を通る電源線１５を外部に導出するための貫通孔２ｈが形成されている。すなわち、貫通孔２ｈは、第２の配線路３２を通る電源線１５を外部に導出させる導出口として機能する。
【００３８】
また、電動機８を内部に収容するモーターカバー１８には、枠体２と電動機部５との連結部の近傍に、貫通孔２ｈから導出された電源線１５をモーターカバー１８の内部に導入するための貫通孔１８ａが形成されている。すなわち、貫通孔１８ａは、貫通孔２ｈから導出された電源線１５をモーターカバー１８の内部に導入させる導入口として機能する。
【００３９】
このように貫通孔１ｃ，４ｂ，２ｇ，２ｈ，１８ａを形成することで、第１の配線路３１を通過した電源線１５を、貫通孔１ｃ，４ｂを通して一旦外部に導出し、貫通孔２ｇを通して第２の配線路３２に導入させることができる。そして、第２の配線路３２を通過した電源線１５を、貫通孔２ｈを通して一旦外部に導出し、貫通孔１８ａを通してモーターカバー１８の内部に導入させることができる。
【００４０】
すなわち、貫通孔１ｃ，４ｂ，２ｇ，２ｈ，１８ａを形成することで、支持部１ａと枠体２の連結部分や、枠体２と電動機部５との連結部分を通さずに電源線１５を電動機８に接続させることができる。また、貫通孔１ｃ，４ｂ，２ｇ，２ｈ，１８ａが上記連結部分の近傍に形成されているので、電源線１５の外部への露出を最小限に抑えることができる。なお、上記連結部部分に電源線１５を通す必要がないので、図８および図９に示すように、支持軸３および電動機保持軸６を中実軸で構成してもよい。
【００４１】
支持軸３および電動機保持軸６の部分（上記連結部分）で電源線１５が器外に露出するが、露出する長さを一定量以下に抑えることで、電気用品安全法の技術基準上の「内部配線」として扱うことができる。そのため、支持軸３および電動機保持軸６を中空加工する手間を省いた上で、他の内部配線と同じリード線を使用することで、製造コストの抑制を図ることができる。
【００４２】
また、電動機部５の旋回動作により電源線１５が受ける屈曲は、電源線１５が器外に露出する部分に特定でき、かつ、それぞれの回動量はアーム１２の長さによって特定できるため、電源線１５が受ける屈曲量を定量的に把握しやすくなる。
【００４３】
そのため、机上での耐久性確認の確実性を向上させることができる。これにより、電源線１５の挙動の特定が困難なために数多くの実機試験を行っていた従来に対し、より短期間で、コストを掛けずに製品開発を行うことが可能となる。
【００４４】
なお、実施の形態１，２で説明した枠体２を、円形パイプ材や角パイプ材で構成してもよい。
【産業上の利用可能性】
【００４５】
以上のように、本発明にかかる天井旋回扇風機は、電動機を旋回させて広範囲に送風する天井旋回扇風機に有用である。
【符号の説明】
【００４６】
１  本体
１ａ  支持部
１ｂ  貫通孔（導出口）
１ｃ  貫通孔（導出口）
２  枠体
２ａ  軸受け孔
２ｂ  Ｕ字板
２ｃ  カバー
２ｄ  ネジ穴
２ｅ  軸受け孔（導入口）
２ｆ  ネジボス
２ｇ  貫通孔（導入口）
２ｈ  貫通孔
３  支持軸
４  支持体
４ａ  貫通孔
４ｂ  貫通孔
５  電動機部
６  電動機保持軸
７  電動機保持板
８  電動機
９  駆動軸
１１  ギアモーター
１１ａ  出力軸
１２  アーム
１３  ファン
１４  保護ガード
１５  電源線
１６  止めリング
１７  固定板
１８  モーターカバー
１８ａ  貫通孔
２０  ファンの回転軸
２１  第１の回転軸
２２  第２の回転軸
３１  第１の配線路
３２  第２の配線路
５０  天井旋回扇風機
Ｘ  矢印
【図１】
0005591177.tif 000002
【図２】
0005591177.tif 000003
【図３】
0005591177.tif 000004
【図４】
0005591177.tif 000005
【図５】
0005591177.tif 000006
【図６】
0005591177.tif 000007
【図７】
0005591177.tif 000008
【図８】
0005591177.tif 000009
【図９】
0005591177.tif 000010
【図１０】
0005591177.tif 000011
【図１１】
0005591177.tif 000012